(57)【要約】    【課題】  共用の子供部屋を段階的に分離して個室化できるため、自立心がスムースに育成される部屋空間の間仕切り構造及び部屋空間の間仕切り方法を提供する。    【解決手段】長矩形状で水平な一対の寝具載置台が上下に隔設され、かつ部屋空間の中央に配置された二段ベッドと、天井から上段の寝具載置台の間、上段の寝具載置台から下段の寝具載置台の間で、各々異なる側部に着脱可能に取り付けられる遮蔽体とを具え、前記遮蔽体は、反対側の気配が視覚により感知できる不全の遮蔽体、および反対側の気配が視覚により感知できない完全の遮蔽体を含んで、反対側の気配を視覚により感知できる程度が異なる複数種類のものが形成され、必要な遮断レベルに応じて選択された一の遮蔽体が、前記二段ベッドに取り付けられることを特徴とする。【選択図】  図２
2007063769.tif 000002
【特許請求の範囲】
【請求項１】
長矩形状で水平な一対の寝具載置台が上下に隔設され、かつ部屋空間の中央に配置された二段ベッドと、天井から上段の寝具載置台の間、上段の寝具載置台から下段の寝具載置台の間で、各々異なる側部に着脱可能に取り付けられる遮蔽体とを具え、
前記遮蔽体は、反対側の気配が視覚により感知できる不全の遮蔽体、および反対側の気配が視覚により感知できない完全の遮蔽体を含んで、反対側の気配を視覚により感知できる程度が異なる複数種類のものが形成され、
必要な遮断レベルに応じて選択された一の遮蔽体が、前記二段ベッドに取り付けられることを特徴とする部屋空間の間仕切り構造。
【請求項２】
前記不全の遮蔽体は、反対側の気配が視覚により感知できる程度が異なる複数種類のものが形成され、
必要な遮断レベルに応じて選択された一の不全の遮蔽体が、前記二段ベッドに取り付けられることを特徴とする請求項１記載の部屋空間の間仕切り構造。
【請求項３】
共用の部屋空間を二つの個室空間に区分する方法であって、
長矩形状で水平な一対の寝具載置台を上下に隔設した二段ベッドを部屋空間の中央に配置し、かつ天井から上段の寝具載置台の間、上段の寝具載置台から下段の寝具載置台の間で、各々異なる側部に、反対側の気配が視覚により感知できる不全の遮蔽体を設ける半遮蔽ステップと、
天井から上段の寝具載置台の間、上段の寝具載置台から下段の寝具載置台の間で、各々異なる側部に、反対側の気配が視覚により感知できない完全の遮蔽体を設ける全遮蔽ステップとを含み、
半遮蔽ステップから全遮蔽ステップへ経時的に変化させることにより、二段ベッドが区分する双方の個室空間の間の遮断レベルを漸増させることを特徴とする部屋空間の間仕切り方法。
【請求項４】
前記半遮蔽ステップにおいて、前記不全の遮蔽体は、反対側の気配が視覚により感知できる程度が漸増する複数のものを、経時的に取り替えることを特徴とする請求項３記載の部屋空間の間仕切り方法。
【請求項５】
前記半遮蔽ステップの前に、天井から上段の寝具載置台の間、及び上段の寝具載置台から下段の寝具載置台の間に遮蔽を設けない非遮蔽ステップを設け、
非遮蔽ステップから半遮蔽ステップを経て全遮蔽ステップへ経時的に変化させることを特徴とする請求項３又は４記載の部屋空間の間仕切り方法。
【発明の詳細な説明】
【技術分野】
【０００１】
本発明は、共用の子供部屋を段階的に分離して個室化することにより自立心をスムース育成しうる部屋空間の間仕切り構造及び部屋空間の間仕切り方法に関する。
【背景技術】
【０００２】
子供部屋は子供の成長に伴って、それまで共用していた部屋空間の中央に簡易間仕切壁を設けることにより、プライバシー性を備えた個室に分けて使用するケースが多くある。そしてこのような可変間仕切システムに関し、簡単な工事により低コストで改装でき、しかも個室に分離された後も快適かつ便利に使用できるよう、様々な工夫がなされている。  
【０００３】
例えば、図９（Ａ）に示すように、二つの出入り口ａ、ａの左右に収納部ｂ、ｂを設けるとともに、窓際に二つの机ｄ、ｄとベッドｅ、ｅを設置した共用部屋において、図９（Ｂ）に示すように、床面積の二等分線上に間仕切りｆを形成することによって左右対称な個室空間に分割することのできる共用部屋付きの住宅が提案されている（例えば、特許文献１参照）。
【０００４】
前記の如く間仕切りｆによって区画された双方の個室空間は、完全に分離されて独立するため、プライバシーが尊重された個別の生活空間を構成している。このように時間経過とともに変化するニーズに対応し、限られた建物内の空間を上手く有効に活用することによって、居住性が維持されて快適な生活を送ることが可能となっている。
【０００５】
【特許文献１】特開２００２−５４３０９号公報
【発明の開示】
【発明が解決しようとする課題】
【０００６】
前記の間仕切りｆの設置の時期は、例えば子供の小学校入学の機会などに行なわれる。しかしながら子供の成長に伴う、プラバシー尊重など生活空間に対するニーズの変化は、特定の一時期に急激に起こるものではなく、長い年月に亘り徐々に進行するものである。従って、例え小学校入学というような成長の節目に、共用の子供部屋を個室として分離した場合であっても、成長期にある子供においては、個室化による急激な環境変化に適応することに相当な無理が生じる。従って微妙な子供の心の成長に障害を生じたり、生活のリズムに狂いを生じて体調を崩すなど、健康面が阻害される恐れもある。
【０００７】
本発明は、長矩形状で水平な一対の寝具載置台を上下に隔設した二段ベッドを、部屋空間の中央に配置し、天井から上段の寝具載置台の間、上段寝具載置台から下段の寝具載置台の間で、各々異なる側部に、反対側の気配が視覚により感知できる不全の遮蔽体を着脱可能に取り付けることを基本とし、共用の子供部屋を段階的に分離して個室化できるため、自立心がスムースに育成される部屋空間の間仕切り構造及び部屋空間の間仕切り方法の提供を課題としている。
【課題を解決するための手段】
【０００８】
前記目的を達成するために、請求項１に記載の部屋空間の間仕切り構造では、長矩形状で水平な一対の寝具載置台が上下に隔設され、かつ部屋空間の中央に配置された二段ベッドと、天井から上段の寝具載置台の間、上段の寝具載置台から下段の寝具載置台の間で、各々異なる側部に着脱可能に取り付けられる遮蔽体とを具え、前記遮蔽体は、反対側の気配が視覚により感知できる不全の遮蔽体、および反対側の気配が視覚により感知できない完全の遮蔽体を含んで、反対側の気配を視覚により感知できる程度が異なる複数種類のものが形成され、必要な遮断レベルに応じて選択された一の遮蔽体が、前記二段ベッドに取り付けられることを特徴とする。
【０００９】
請求項２に係る発明においては、前記不全の遮蔽体は、反対側の気配が視覚により感知できる程度が異なる複数種類のものが形成され、必要な遮断レベルに応じて選択された一の不全の遮蔽体が、前記二段ベッドに取り付けられることを特徴とする。
【００１０】
請求項３に記載の部屋空間の間仕切り方法では、共用の部屋空間を二つの個室空間に区分する方法であって、長矩形状で水平な一対の寝具載置台を上下に隔設した二段ベッドを部屋空間の中央に配置し、かつ天井から上段の寝具載置台の間、上段の寝具載置台から下段の寝具載置台の間で、各々異なる側部に、反対側の気配が視覚により感知できる不全の遮蔽体を設ける半遮蔽ステップと、天井から上段の寝具載置台の間、上段の寝具載置台から下段の寝具載置台の間で、各々異なる側部に、反対側の気配が視覚により感知できない完全の遮蔽体を設ける全遮蔽ステップとを含み、半遮蔽ステップから全遮蔽ステップへ経時的に変化させることにより、二段ベッドが区分する双方の個室空間の間の遮断レベルを漸増させることを特徴とする。
【００１１】
請求項４に係る発明では、前記半遮蔽ステップにおいて、前記不全の遮蔽体は、反対側の気配が視覚により感知できる程度が漸増する複数のものを、経時的に取り替え、また請求項５に係る発明においては、前記半遮蔽ステップの前に、天井から上段の寝具載置台の間、及び上段の寝具載置台から下段の寝具載置台の間に遮蔽を設けない非遮蔽ステップを設け、非遮蔽ステップから半遮蔽ステップを経て全遮蔽ステップへ経時的に変化させることを特徴とする。
【発明の効果】
【００１２】
請求項１に係る部屋空間の間仕切り構造では、天井から上段の寝具載置台の間、上段の寝具載置台から下段の寝具載置台の間で、各々異なる側部に取り付ける遮蔽体は、反対側の気配が視覚により感知できる不全の遮蔽体を含み複数種類形成された遮蔽体の中から選択して着脱可能に取付られる。そのため、区分される個室空間の間の遮断レベルは、子供の精神的な成長程度に応じて調整でき、その結果ストレスを感じることのない好適な環境の中で、子供の自立心を円満に育成することができる。
【００１３】
請求項２に係る発明においては、不全の遮蔽体は、反対側の気配が視覚により感知できる程度が異なる複数種類のものが形成されるため、個室空間の間の遮断レベルをよりきめ細かく漸増でき、子供に精神的なストレスを殆ど与えることがなく、健全な自立心の育成を図ることができる。
【００１４】
請求項３に係る部屋空間の間仕切り方法では、天井から二段ベッドの上段の寝具載置台の間、及び上段の寝具載置台から下段の寝具載置台の間で、各々異なる側部に、反対側の気配が視覚により感知できる不全の遮蔽体を設ける半遮蔽ステップから、反対側の気配が視覚により感知できない完全の遮蔽体を設ける全遮蔽ステップへと、子供の生育に合わせ、区分する個室空間の遮断レベルを逐次高めつつ変化させる。そのため、自然の中で子供の自立心を育成できるとともに、ストレスを殆ど感じることがなく、円満な精神形成ができる。また、子供の精神的成長スピードに応じて、各ステップの進捗を自在に調整することができる。その結果、兄弟の年齢差、性格など個別の条件と状況変化に対応して、タイムリーにしかも適切な遮断レベルを設定することができる。
【００１５】
請求項４に係る発明においては、半遮蔽ステップにおいて、よりきめ細かく不全の遮蔽体を取り替えるため、たとえ子供の感受性が非常に鋭い場合でも、殆どストレスを感じさせることなく、独立した個室への環境適応を円滑に行なえる。また請求項５に係る発明のように、半遮蔽ステップの前に、二段ベッドの空所に遮蔽を設けない非遮蔽ステップを設けると、個室空間へ移行する準備段階として部屋空間の中央の二段ベッドで就寝する生活に予め慣れることができ、個室空間への移行に対する抵抗感を和らげるとともにストレスを低減できる。
【発明を実施するための最良の形態】
【００１６】
以下、本発明の実施の一形態を、図示例とともに説明する。図１に示すように、部屋空間の間仕切り構造１は、部屋空間３を個室空間７に区分する場合に用いられ、前記部屋空間３の中央に配置される二段ベッド４と、遮蔽体６とを具える。尚部屋空間３は、本形態では、幼児期に兄弟が共用する子供部屋の場合が例示される。しかし本発明はこれに限定するものでなく、一般の居室、客間なども部屋空間３に含まれる。
【００１７】
前記二段ベッド４は、図１に示すように、各々水平で長矩形状をなす上段の寝具載置台２Ｕと、同形の下段の寝具載置台２Ｄが上下に隔設されて構成される。本形態の寝具載置台２は、矩形の外周枠の内側に、合板、パーティクルボード、インシュレーションボード、ＭＤＦ（中密度繊維板）などの木質加工板材を用いた板体を取り付けて形成され、図４に示すように、ウレタンフォーム、ポリエチレンフォームなどを用いたマットレスＭが一体に積層されている。寝具載置台２は、その四隅が支柱２１に支持されて前記水平状態が維持される。前記支柱２１は、下端部が床に載置されるとともに天井５までのびて、垂直に固定される。
【００１８】
前記二段ベッド４は、本形態では図１に示すように、窓２２と掃き出し開口２３の間の壁面２４に足側が接すると共に部屋空間３の中央に向けて配置されるが、部屋の平面形状に応じて、適宜配置される。更に部屋の大きさによって、部屋空間３全体を二分する場合と、部屋空間３の一部を区分する場合とが含まれる。また二段ベッド４の平面の大きさは、頭部から足側にのびる長さ寸法は、例えば２０００〜２５００ｍｍ程度、巾寸法は例えば１０００〜１５００ｍｍ程度である。
【００１９】
前記遮蔽体６は、本形態では図３、４に示すように、長矩形状をなし、矩形状の外周枠２５と、この外周枠２５の内側全体に設ける面材２６とからなる。そして遮蔽体６は、前記二段ベッド４の天井５から上段の寝具載置台２Ｕの間においては図面上左側に、そして上段の寝具載置台２Ｕから下段の寝具載置台２Ｄの間においては右側に、各々垂直に配されて取り付けられる。従って本形態において、上段の寝具載置台２Ｕは、図面上右側の個室空間７に連続し、他方下段の寝具載置台２Ｄは左側の個室空間７に連続する。また前記配置は、左右反転して構成することも良い。
【００２０】
前記遮蔽体６は、図４に示すように、外周枠２５に垂直な取付片３４を設けるとともに、寝具載置台２には前記取付片３４と向き合う取付凹部２７が形成される。そして前記取付片３４に挿通した固着具２８を取付凹部２７に螺合することにより、遮蔽体６は、寝具載置台２の側部に着脱可能に取り付けられる。
【００２１】
本形態の遮蔽体６は、図３に示すように、前記寝具載置台２の長さ寸法と略同寸の巾と、二段ベッド４の天井５から上段の寝具載置台２Ｕの高さ寸法、又は上段の寝具載置台２Ｕから下段の寝具載置台２Ｄの高さ寸法と略同寸の高さに形成される。従って本形態では、天井５から上段の寝具載置台２Ｕの間および上段の寝具載置台２Ｕから下段の寝具載置台２Ｄの間が遮蔽体６により遮られる。
【００２２】
また前記遮蔽体６は、反対側の気配が視覚により感知できる不全の遮蔽体６Ｎと、感知できない完全の遮蔽体６Ｐとを含んで構成される。反対側の気配が視覚により感知できるとは、一定程度の減衰はあるものの、光が遮蔽体６を透過することができ、遮蔽体６を通して反対側の人の動きが視認できることをいう。
【００２３】
前記不全の遮蔽体６Ｎは、本形態では図２、３に示すように、前記面材２６がメッシュ２９を用いて形成されたものが例示される。前記メッシュ２９は、平織網、綾織網、菱形網、亀甲網など、縦横の線材を各種形態に織成したものが用いられる。このように二段ベッド４により区分された個室空間７相互は、不全の遮蔽体６Ｎによって遮られるが、メッシュ２９の隙間から反対側が見通せるため、人の動きなどの気配を充分に感じることができる。而して共用中の部屋空間３を区分するに際し、不全の遮蔽体６Ｎを取り付けることにより、分離される個室空間７相互間の遮断レベルを低く抑えることができる。その結果、生活する子供は違和感が小さいためストレスを感じることがない中で、新しい環境に慣れることができ、徐々に自立心を育成することができる。
【００２４】
また線材が比較的細く、或いはピッチが大きなメッシュ２９を用いることにより、反対側の気配をより強く感知できる遮断レベルの低い不全の遮蔽体６Ｎと、太い線材を用いて細かなピッチとしたメッシュ２９を用いることにより遮断レベルの高い不全の遮蔽体６Ｎとを形成し、子供の自立心の状況などにより適合した遮断レベルの一の不全の遮蔽体６Ｎを取り付けると、成長状況によりフィットした生活環境を形成でき、ストレスを一切与えることなく円満な育成ができる点で好ましい。遮断レベルを３段階以上に細分した不全の遮蔽体６Ｎを形成すると、よりきめ細かく環境設定できる点で更に好ましい。
【００２５】
前記線材は、炭素鋼、ステンレス鋼、合金鋼を含む鉄鋼材料、またはアルミニウム、真鍮などの金属材料、或いはポリエチレン樹脂、ポリプロピレン樹脂、ポリスチレン樹脂、フェノール樹脂、不飽和ポリエステル樹脂などのプラスチック材料が用いられる。
【００２６】
不全の遮蔽体６Ｎは、前記メッシュ２９のほか、縦横に一定間隔で配される縦格子と横格子とから形成される格子体を用いて形成することができる。この場合、使用する縦格子、横格子の太さ、或いはピッチが違う複数の格子体を形成して、遮断レベルの異なる複数の不全の遮蔽体６Ｎを設けることができる。
【００２７】
また、横長で垂直な帯状板が一定間隔の隙間を空けて上下に隔設されるスリット板状体を用いて不全の遮蔽体６Ｎを形成することができる。そして、前記隙間の大きさを変えることにより遮断レベルの違う複数種類のスリット板状体を設けることができる。
【００２８】
更には図５（Ａ）に示すように、多数の丸孔３０を穿設したパンティングメタル３１を用いて不全の遮蔽体６Ｎを形成することもできる。この場合、図５（Ｂ）に示すように、丸孔３０のピッチを大きく形成することにより、或いは、図５（Ｃ）に示すように、小さな丸孔３０を設けることにより、遮断レベルの違う複数種類の不全の遮蔽体６Ｎを設けることができる。
【００２９】
前記丸孔３０のほか、角孔、六角形孔、菱形孔、丸十字孔などを穿設したパンティングメタル３１を用いることもできる。また前記パンティングメタル３１は、炭素鋼、ステンレス鋼、合金鋼を含む鉄鋼材料、或いはアルミニウム、銅、真鍮などの金属材料、又は、ポリエチレン樹脂、ポリプロピレン樹脂、ポリスチレン樹脂、フェノール樹脂、不飽和ポリエステル樹脂などのプラスチック材料、ゴムなどを用いて形成される。
【００３０】
また不全の遮蔽体６Ｎは、図６に示すように、半透明ガラス、型板ガラス、織布、不織布、和紙などの半透明体を用いて構成することもできる。織布は、綿（コットン）、麻、毛（ウール）、絹などの天然繊維、ナイロン、ビニロン、レーヨン、ポリエステル、アクリル、ポリウレタン、ポリクラールなどの化学繊維を用いて形成される。不織布は、天然繊維、合成繊維或いはガラス・ 金属・セラミックス・パルプ・ 炭素などの各種繊維を一定方向又はランダムに集積したフリースを、接着剤で化学的に結合させたり、機械的に絡ませたり、熟融着により結合させて形成されたものを用いる。また和紙としては、コウゾ、ミツマタ、ガンピをはじめ、タケ、ササ、カジノキ、クズなどの植物性原料を精製し、かつ叩きほぐして得た繊維を漉き込むとともに乾燥して製造されたものが使用される。更にこれら半透明体を用いた不全の遮蔽体６Ｎにおいては、その透明度、厚さ、色合いなどを違えることにより、遮断レベルの違う複数種類の不全の遮蔽体６Ｎを形成することができる。
【００３１】
前記完全の遮蔽体６Ｐは、本形態では、図７に示すように、部屋空間３の壁に用いたものと同一の壁紙を貼着した合板を面材２６に用いた場合が例示される。そして、この完全の遮蔽体６Ｐを二段ベッド４に取り付けることにより、個室空間７は相互に反対側の気配を視覚により感知することができない。そのため、双方の個室のプライバシーが確保され、自立心の育った子供が快適に生活できる個室空間７が得られる。また完全の遮蔽体６Ｐは、ステンレス、アルミなどの金属板、プラスチック板、厚手の布地などを用いて形成することもできる。
【００３２】
前記の如く不全の遮蔽体６Ｎ、完全の遮蔽体６Ｐを含む少なくとも二種類の遮蔽体６が形成され、子供の成長程度などの状況に応じた遮断レベルに合う一の遮蔽体６を二段ベッド４に取り付けることにより、子供にストレスを与えることなくスムースに共用の部屋空間３を間仕切りすることができる。しかも子供の成長にともなう状況の変化に対応し、遮断レベルが適合する遮蔽体６に取り替えができるため、健全な自立心の育成を図ることができる。
【００３３】
図８は他の実施形態を例示している。以下異なる内容について説明し、それ以外は図中に表れた主要構成に同じ符号を付すだけとする。本形態の遮蔽体６は、横長帯板状のスラット３２を上下に一定間隔で隔設し、かつ前記スラット３２が、図示されない公知の連動機構を介して、傾き角度を整一に調整可能に形成されたルーバー３３を用いて形成されている。前記ルーバー３３は、図８（Ａ）に示すように、スラット３２を略水平にした状態において、遮断レベルの比較的低い不全の遮蔽体６を構成する。また図８（Ｂ）に示すように、スラット３２を４５度程度に傾斜させた状態において、遮断レベルが比較的高い不全の遮蔽体６が構成される。このように本形態のルーバー３３は、スラット３２の角度を適宜増減することにより、必要な遮断レベルを簡単に形成調整できる点で好ましい。更に図８（Ｃ）に示すように、スラット３２を略垂直状態に回動したルーバー３３により、完全の遮蔽体６Ｐが構成される。
【００３４】
次に、前記図２、７に例示された前記部屋空間の間仕切り構造１の実施例に基づいて、共用の部屋空間３を二つの個室空間に区分する際に用いる部屋空間の間仕切り方法を説明する。本発明の部屋空間の間仕切り方法は、半遮蔽ステップと、全遮蔽ステップとを含み、前記２段階を順次経時的に変化させるものである。
【００３５】
更に本形態では、半遮蔽ステップの前に、非遮蔽ステップを設け、３段階を順次経時的に変化させる場合が例示される。
【００３６】
前記非遮蔽ステップは、図１に示すように、前記詳述した二段ベッド４を部屋空間３の中央に配置し、天井から上端の寝具載置台２の間、及び上段の寝具載置台２Ｕから下段の寝具載置台２Ｄの間は、開放した状態とした段階である。即ちこの非遮蔽ステップの部屋空間３は、共用の状態が維持され、個室空間７に間仕切る前の準備段階として設けられる。そして、子供が部屋空間３の中央に設けられた二段ベッド４で就寝する生活に慣れる期間を設けることにより、後で実施される個室空間７への移行に対する抵抗感を減じて、生活環境変化に対するストレスを緩和できる点で好ましい。
【００３７】
前記半遮蔽ステップでは、図２に示すように、前記二段ベッド４の天井５から上段の寝具載置台２Ｕの間では図面上左側に、上段の寝具載置台２Ｕから下段の寝具載置台２Ｄの間では右側に、不全の遮蔽体６を各々垂直に配されて取り付ける。前記不全の遮蔽体６は、本形態では見通せるメッシュ２９を用いることにより、空間が遮られても反対側の気配が視覚により感知でき、ある程度のプライバシーを確立しつつ、急激な遮断による心理的ストレスを緩和できるものである。不全の遮蔽体６は、メッシュ２９を用いるほか、格子体、パンティングメタル、或いは半透明ガラス、型板ガラス、織布、不織布、和紙などの半透明体により構成できる。
【００３８】
半遮蔽ステップにおいて、先に例えば細い線材を用いて遮断レベルの比較的低い不全の遮蔽体６を取り付け、比較的反対側の気配が視覚により感知できる環境の中で個室空間７での生活に無理なく慣れさせることができる。その後、例えば太い線材を用いて遮断レベルを上げた不全の遮蔽体６に取り替えることにより、段階的にプライバシーの程度を高めると、感受性の豊かな子供であっても殆どストレスを感じることなく環境変化に適用でき、しかも同時に自立心を自然な状態の中で育成できる点で好ましい。なお、子供の成長にリンクして、遮断レベルを多段階にきめ細かく漸増させると、一層スムースに個室生活への移行ができる。
【００３９】
前記全遮蔽ステップでは、図７に示すように、前記不全の遮蔽体６に替えて、完全の遮蔽体６Ｐを取り付ける。この完全の遮蔽体６Ｐは、本形態では、壁紙を貼着した合板を用いて構成される。そして完全の遮蔽体６Ｐにより遮られると、反対側の個室空間７の気配が視覚により全く感知できなくなり、プライバシーが守られた独立した生活空間が形成される。
【００４０】
このように、半遮蔽ステップから、全遮蔽ステップに経時的に変化させると、生活環境変化のギャップが小さくなるため、生活者の受けるストレス度が低減でき、しかも自立心の生育にリンクして遮断レベルを上げることができるため、無理のない円満な成長が可能となる。
【００４１】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００４２】
【図１】二段ベッドを設置した状態を示す斜視図である。
【図２】本発明の一実施の形態を例示する斜視図である。
【図３】その要部の正面図である。
【図４】その要部拡大斜視図である。
【図５】他の実施形態を例示する要部拡大図であり、（Ａ）（Ｂ）（Ｃ）は各々異なる形態を例示している。
【図６】更に他の実施形態を例示する斜視図である。
【図７】完全の遮蔽体を取り付けた状態を例示する斜視図である。
【図８】他の実施形態を例示する側面図であり、（Ａ）（Ｂ）（Ｃ）は各々異なる使用状態を例示している。
【図９】従来例を示し、（Ａ）はその間仕切前の状態を示す平面図、（Ｂ）は間仕切り後の状態を示す平面図である。
【符号の説明】
【００４３】
１      部屋空間の間仕切り構造
２      寝具載置台
２Ｕ    上段の寝具載置台
２Ｄ    下段の寝具載置台
３      部屋空間
４      二段ベッド
５      天井
６      遮蔽体
６Ｎ    不全の遮蔽体
６Ｐ    完全の遮蔽体
７      個室空間
【図１】
2007063769.tif 000003
【図２】
2007063769.tif 000004
【図３】
2007063769.tif 000005
【図４】
2007063769.tif 000006
【図５】
2007063769.tif 000007
【図６】
2007063769.tif 000008
【図７】
2007063769.tif 000009
【図８】
2007063769.tif 000010
【図９】
2007063769.tif 000011